【事件の表示】
　特願２００９−１７１０９号「色温度可変照明装置並びにそれに用いるコントローラ」拒絶査定不服審判事件〔平成２２年８月１２日出願公開、特開２０１０−１７６９８６号〕について、次のとおり審決する。
【結　論】
　本件審判の請求は、成り立たない。
【理　由】
第１　手続の経緯
　本願は、平成２１年１月２８日の出願であって、平成２５年１月１１日付けで拒絶理由が通知され、平成２５年３月２５日に意見書及び手続補正書が提出され、平成２５年６月１３日付けで拒絶査定がされ、平成２５年９月５日に拒絶査定不服審判が請求されるとともに手続補正書が提出されたものである。
　その後、当審において、平成２６年７月３１日付けで拒絶理由を通知し、平成２６年１０月６日に意見書及び手続補正書が提出され、さらに、平成２７年１月１４日付けで拒絶理由を通知し、平成２７年３月２３日に意見書及び手続補正書が提出されたものである。
第２　本願発明
　本願の請求項１〜４に係る発明は、平成２７年３月２３日提出の手続補正書により補正された特許請求の範囲、明細書及び図面の記載からみて、その特許請求の範囲の請求項１〜４に記載された事項により特定されるとおりのものと認められるところ、その請求項１に係る発明（以下、「本願発明」という。）は、次のとおりである。
「　【請求項１】
　光色が異なる複数の光源を有する照明光源と、これら複数の光源を個別且つ任意の光量で発光させる駆動手段と、人による操作入力を受け付ける操作入力受付手段と、照明光源から照射される照明光の色温度が操作入力受付手段で受け付ける操作入力に対応した色温度となるように照明光源の各光源の光量を決定する決定手段とを備え、
　駆動手段は、それぞれの光源を決定手段が決定した光量で発光させ、決定手段は、操作入力受付手段で受け付ける操作入力の変化量と、当該操作入力の変化量に対応する照明光の逆数色温度の差分とが比例関係を持つように各光源の光量を決定することを特徴とする色温度可変照明装置。」
第３　刊行物、刊行物記載の事項及び刊行物記載の発明
　刊行物１：特開平７−２７２８６４号公報
　（当審が平成２７年１月１４日付けの拒絶理由で引用した引用文献１）
　刊行物２：特開平７−２６３１５２号公報
　（当審が平成２７年１月１４日付けの拒絶理由で引用した引用文献２）
　　なお、以下の下線は当審が加筆した。
１．刊行物１記載の事項及び刊行物１記載の発明
　刊行物１には、表１及び図とともに、次の事項が記載されている。
（１ａ）「【０００１】
【産業上の利用分野】本発明は、住宅や事務所などの一般的な生活空間で用いる照明装置であって、発光色の異なる複数個の光源を備えた発光部を備え、発光部における各光源の発光量を調節することによって、混色光として得られる
照明光の光色
をほぼ連続的に調節できるようにした可変色照明装置
（１ｂ）「【０００２】
【従来の技術】本発明者は、この種の可変色照明装置として、図８に示すように、赤色系（Ｒ）、緑色系（Ｇ）、青色系（Ｂ）の
３色の光源２Ｒ，２Ｇ，２Ｂを１つの器具本体に収納した発光部１を持ち、
光色光量選択部８においてアップスイッチとダウンスイッチとを操作して色温度の上昇または下降を選択するとアップダウンカウンタによって出力されるアドレスデータが増減し、このアドレスデータによってデータ記憶部７のアドレスを指定するようになっている
データ選択部５
指定したアドレスの調光比をデータ記憶部７から読み出して調光信号発生部６に渡す
調光比
指定された色温度に対応する各光源２Ｒ，２Ｇ，２Ｂの調光量に対応する３つ組のデータであって
調光信号発生部６
調光比に対応した調光量の調光信号を生成して調光器４Ｒ，４Ｇ，４Ｂに渡し
各調光器４Ｒ，４Ｇ，４Ｂは調光信号に従って各光源２Ｒ，２Ｇ，２Ｂを調光制御する
（１ｃ）「【０００３】ところで、
データ記憶部７には
調光比が記憶されている
データ記憶部７には
各アドレスに対応して色温度に応じた３つ組の調光比
が格納されている
データ選択部５で
アドレスが指示される
そのアドレスの調光比が読み出される
【０００４】
【表１】
【０００５】表１に示したように
アドレスを対応付けた調光比
表１に示した調光比では１段階ごとの色温度の逆数（＝１／色温度）の変化が略等しくなるように設定してある
１段階ごとの色変化が略等間隔に知覚されるようになっている
（１ｄ）上記（１ｂ）の記載事項から、アドレスデータがデータ選択部５に送られ、データ選択部５がデータ記憶部７のアドレスを指定するといえるので、上記（１ｃ）の「
データ選択部５で
アドレスが指示される
そのアドレスの調光比が読み出される
　上記（１ａ）〜（１ｄ）の事項、表１の事項及び図８の開示事項から、刊行物１には、次の発明（以下、「刊行物１記載の発明」という。）が記載されているものと認められる。
　「３色の光源２Ｒ，２Ｇ，２Ｂを１つの器具本体に収納した発光部１を持ち、
　各光源２Ｒ，２Ｇ，２Ｂを、指定された色温度に対応する各光源２Ｒ，２Ｇ，２Ｂの調光量に対応する３つ組のデータである調光比に対応した調光信号に従って、調光制御する各調光器４Ｒ，４Ｇ，４Ｂと、
　アップスイッチとダウンスイッチと、
　光色光量選択部８においてアップスイッチとダウンスイッチとを操作して色温度の上昇または下降を選択するとアップダウンカウンタによって出力されるアドレスデータが増減し、このアドレスデータによってデータ記憶部７のアドレスを指定し、指定したアドレスの調光比を、各アドレスに対応して色温度に応じた３つ組の調光比が格納されているデータ記憶部７から読み出して調光信号発生部６に渡すデータ選択部５と、その調光比に対応した調光信号を生成する調光信号発生部６とを備え、
　各調光器４Ｒ，４Ｇ，４Ｂは、各光源２Ｒ，２Ｇ，２Ｂを、調光信号発生部６が生成する調光比に対応した調光信号に従って、調光制御し、
　データ選択部５は、アップスイッチとダウンスイッチとを操作して出力されるアドレスデータによってデータ記憶部７のアドレスを指定し、アドレス１段階ごとの色温度の逆数の変化が略等しくなるように設定してある、アドレスに対応付けられた調光比をデータ記憶部７から読み出して調光信号発生部６に渡し、調光信号発生部６はその調光比に対応した調光信号を生成する、可変色照明装置。」
２．刊行物２記載の事項
　刊行物２には、図とともに、次の事項が記載されている。
（２ａ）「【０００４】
【発明が解決しようとする課題】ところで、本発明者らが新たに得た知見によれば、後述するように、光出力が比較的短時間で変化する場合には、
物理量としての光出力の変化と視知覚としての明るさの変化とが一致しないものである
【０００５】したがって、上述のように操作器での指示値と光出力とを比例関係にしたり、フェードイン制御やフェードアウト制御の際の経過時間と光出力とを比例関係にしたりした従来構成では、指示値ないし経過時間に対して光出力が線形に変化し、明るさが指示値や経過時間に比例しないものであるから、
明るさの変化が不自然さとして知覚され違和感が生じるという問題がある
【０００６】このような問題は、舞台照明などでは専門家がフェーダなどの操作器を操作することによって回避されているのであるが、パーティ会場や一般家庭において調光による演出を行なうときには専門家は存在しないものであるから、従来構成では上述のような違和感を除去できないのが現状である。本発明は上記問題点の解決を目的とするものであり、熟練を要することなく
操作器での指示値と視知覚としての明るさとを違和感なく対応付けることができるようにした調光照明装置を提供しようとするものである
（２ｂ）「【００２６】操作器１は、図２に示すように、回転軸１３ａの回転によって抵抗値が変化する可変抵抗器１３を備え、回転軸１３ａの先端部には操作器１の器体１０の外部に露出するつまみが操作部１１として装着されている。また、図３に示すように、操作部１１に対応する目盛１２が器体１０に表記されている。ここにおいて、
可変抵抗器１３は回転角（すなわち操作量）と抵抗値とが線形関係であるものを用いており、操作器１の出力値である抵抗値は回転軸１３ａの回転量に比例して変化する
（２ｃ）「【００２８】操作器１の出力値は、操作部１１の回転方向の情報とともに関数演算回路２に入力される。関数演算回路２には上述した（３）式および（４）式が設定されており、関数演算回路２に対して操作器１の出力値が入力されると、発光部５の光出力に対応した出力値が発生する。ここで、関数演算回路２において（３）式と（４）式とのどちらを選択するかは、操作器１に設けた可動接触子１７と固定接触子１８との開閉状態によって決定される。たとえば、操作部１１を図３の右方向に回すと光出力が増大するものとすれば、左回転に対して（３）式が選択され右回転に対して（４）式が選択される。
操作器１では操作部１１の操作量（回転角）と出力値とが比例関係であり、関数演算回路２では人の視知覚としての明るさｘを発光部５の物理量としての光出力ｙに変換するから、結局、操作器１の操作量が明るさに対応することになる
（２ｄ）「【００３０】本実施例では操作器１として操作部１１を回転させるものを用いているが、可変抵抗器１３として操作部１１が直進操作されるスライド自在なものを用いてもよい。また、上記実施例のように、発光部５の光出力を連続的に変化させる場合には、操作器１の目盛１２を上述したように等間隔に表記して０〜１００％の百分率などで明るさを表しておけばよい。操作器１として発光部５の光出力を段階的に変化させるものを用いる場合には、各段階間の操作量を等間隔としておき、操作器１の目盛１２に数値または文字による表記を行なう。数値で表記する場合には、数値の間隔を等間隔とし、たとえば５段階の表示を行なうのであれば、「０」、「２５」、「５０」、「７５」、「１００」などと表記しておけばよい。文字で表記する場合には、「明」、「中」、「暗」などと表記すればよい。この場合、明るさの切換段数に応じて明るさを等分し、各段階間での明るさの変化が等間隔に知覚されるようにするのが望ましい。」（段落【００３０】）
（２ｅ）「【００４１】（実施例７）上記各実施例では、関数演算回路２において操作器１の出力値を入力とし、操作器１の操作のたびに（３）式ないし（４）式の演算を行なう例を示したが、本実施例では、図７に示すように、操作器１の出力値（すなわち、指示値）と、各指示値に対する（３）式ないし（４）式の演算結果とを対応付けた変換テーブル２′を用いて変換手段を実現しているものである。すなわち、明るさを段階的に指示するような場合には、明るさｘと光出力ｙとの対応関係を規定するデータ数は少数であるから、このような場合には、関数演算回路２による演算を行なう代わりに操作器１から出力された指示値を変換テーブル２′で照合し、対応する光出力を得るようにしたほうが構成が簡単になるのである。
【００４２】ここで、
操作器１の出力値（指示値）としては、操作部１１がテンキーなどの数値入力が可能なものであればその数値を用いればよく、また操作部１１の操作により抵抗値が変化する可変抵抗器や複数個の固定抵抗を用いる場合には抵抗値を用いるようにすればよい。ここに、抵抗値を変換テーブル２′に直接入力することはできないから、抵抗値を電圧値に変換し電圧値をアナログ−ディジタル変換することによって、数値入力と等価なディジタル値を発生させるようにすればよい。変換テーブル２′では、アドレス値を指示値に対応付け、各アドレスに対して光出力の値を格納すれば、操作器１から出力されるディジタル値である指示値によってアドレスを選択し、そのアドレスに格納された光出力の値を取り出すことが可能になる。
（２ｆ）「【００５０】・・・（中略）・・・請求項３の発明は、
回転操作または直進操作が可能な操作部を操作器に設けるとともに、操作部の操作量と指示値とを比例関係に設定しているので、操作感覚と明るさの知覚とをほぼ一致させることができるという効果がある。
第４　対比・判断
　請求項１に係る発明と刊行物１記載の発明とを対比する。
（ア）刊行物１記載の発明の「３色の光源２Ｒ，２Ｇ，２Ｂ」、「１つの器具本体に収納した発光部１」は、それぞれ、本願発明の「光色が異なる複数の光源」、「照明光源」に相当するから、刊行物１記載の発明の「３色の光源２Ｒ，２Ｇ，２Ｂを１つの器具本体に収納した発光部１」は、「光色が異なる複数の光源を有する照明光源」に相当する。
（イ） 刊行物１の図８を参照すると、刊行物１記載の発明の 「指定された色温度に対応する各光源２Ｒ，２Ｇ，２Ｂの調光量に対応する３つ組のデータである調光比に対応した調光信号」は、「各調光器４Ｒ，４Ｇ，４Ｂ」から、それぞれ個別に「各光源２Ｒ，２Ｇ，２Ｂ」に送られ、「各光源２Ｒ，２Ｇ，２Ｂを」「調光制御する」と認められ、「複数の光源を個別且つ任意の光量で発光させる」ものといえる。そうすると、刊行物１記載の発明の「各調光器４Ｒ，４Ｇ，４Ｂ」は、本願発明の「駆動手段」に相当し、刊行物１記載の発明の「各光源２Ｒ，２Ｇ，２Ｂ（複数の光源）を、指定された色温度に対応する各光源２Ｒ，２Ｇ，２Ｂ（複数の光源）の調光量に対応する３つ組のデータである調光比に対応した調光信号に従って、調光制御する各調光器４Ｒ，４Ｇ，４Ｂ」は、本願発明の「これら複数の光源を個別且つ任意の光量で発光させる駆動手段」に相当する。
（ウ） 刊行物１記載の発明の「アップスイッチとダウンスイッチ」は、本願発明の「人による操作入力を受け付ける操作入力受付手段」に相当する。
（エ）刊行物１記載の発明の「光色光量選択部８においてアップスイッチとダウンスイッチとを操作して色温度の上昇または下降を選択するとアップダウンカウンタによって出力されるアドレスデータが増減し、このアドレスデータによってデータ記憶部７のアドレスを指定し、指定したアドレスの調光比を、各アドレスに対応して色温度に応じた３つ組の調光比が格納されているデータ記憶部７から読み出して調光信号発生部６に渡すデータ選択部５と、その調光比に対応した調光信号を生成する調光信号発生部６とを備え」る構成は、「アップスイッチとダウンスイッチ（操作入力受付手段）の操作により色温度の上昇または下降を選択して対応した色温度となるように、データ選択部５が、アドレスを指定し指定アドレスから調光比を読み出して調光信号発生部６に渡し、調光信号発生部６は、その渡された調光比から調光信号を生成する」ものであり、「データ選択部５」及び「調光信号発生部６」は、「照明光源の各光源の光量を決定する決定手段」の機能を備えているといえるので、本願発明の「照明光源から照射される照明光の色温度が操作入力受付手段で受け付ける操作入力に対応した色温度となるように照明光源の各光源の光量を決定する決定手段とを備え」る構成に相当する。
（オ）刊行物１記載の発明の「各調光器４Ｒ，４Ｇ，４Ｂ（駆動手段）は、各光源２Ｒ，２Ｇ，２Ｂ（複数の光源）を、調光信号発生部６が生成する調光比に対応した調光信号に従って、調光制御し」ていることは、「調光制御」が、「照明光源の各光源の光量を決定する決定手段」の機能を備えている「データ選択部５」及び「調光信号発生部６」によって、調光比及びその調光比に対応した調光信号を順に生成することでなされているといえるので、本願発明の「駆動手段は、それぞれの光源を決定手段が決定した光量で発光させ」ることに相当する。
（カ）アップスイッチ又はダウンスイッチを操作してアドレスを指定する場合についてみると、刊行物１記載の発明は、「アップダウンカウンタによって出力されるアドレスデータが増減し、このアドレスデータによってデータ記憶部７のアドレスを指定し」ているので、スイッチからの操作入力によりアドレスを１段階毎順にアップ（昇）又はダウン（降）してアドレスを指定するものと認められ、アップスイッチ又はダウンスイッチを操作することでアドレス段の移動回数を設定しているといえる。
　ここで、「アドレス段の移動回数」は、「アドレス段の変化量」であると認められ、「操作入力受付手段で受け付ける」ものといえる。
　また、アドレスの昇降と色温度の逆数の変化についてみると、刊行物１記載の発明は、「アドレス１段階ごとの色温度の逆数の変化が略等しくなるように設定してある」から、アドレスの移動回数（変化量）と色温度の逆数の変化量（逆数色温度の差分）とは比例するといえる。
　そうすると、刊行物１記載の発明の「データ選択部５は、アップスイッチとダウンスイッチとを操作して出力されるアドレスデータによってデータ記憶部７のアドレスを指定し、アドレス１段階ごとの色温度の逆数の変化が略等しくなるように設定してある、アドレスに対応付けられた調光比をデータ記憶部７から読み出して調光信号発生部６に渡し、調光信号発生部６はその調光比に対応した調光信号を生成する」ことは、「決定手段は、操作入力受付手段で受け付ける変化量と、当該変化量に対応する照明光の逆数色温度の差分とが比例関係を持つように各光源の光量を決定する」限度で本願発明と共通する。
（キ）刊行物１記載の発明の「可変色照明装置」は、本願発明の「色温度可変照明装置」に相当する。
　以上から、本願発明と刊行物１記載の発明とは、以下の一致点で一致し、また、相違点で相違する。
＜一致点＞
　「光色が異なる複数の光源を有する照明光源と、これら複数の光源を個別且つ任意の光量で発光させる駆動手段と、人による操作入力を受け付ける操作入力受付手段と、照明光源から照射される照明光の色温度が操作入力受付手段で受け付ける操作入力に対応した色温度となるように照明光源の各光源の光量を決定する決定手段とを備え、
　駆動手段は、それぞれの光源を決定手段が決定した光量で発光させ、決定手段は、操作入力受付手段で受け付ける変化量と、当該変化量に対応する照明光の逆数色温度の差分とが比例関係を持つように各光源の光量を決定する色温度可変照明装置。」
＜相違点＞
　「操作入力受付手段で受け付ける変化量」について、本願発明では、「操作入力受付手段で受け付ける操作入力の変化量」であるのに対して、刊行物１記載の発明では、「データ選択部５は、アップスイッチとダウンスイッチとを操作して出力されるアドレスデータによってデータ記憶部７のアドレスを指定し、アドレス１段階ごとの色温度の逆数の変化が略等しくなるように設定してある、アドレスに対応付けられた調光比をデータ記憶部７から読み出して調光信号発生部６に渡し、調光信号発生部６はその調光比に対応した調光信号を生成する」ものであり、上記（カ）から、「操作入力受付手段で受け付けるアドレス段の移動回数（変化量）」であるといえるが、操作入力受付手段で受け付ける操作入力とアドレス段の移動回数（変化量）との関係がどのようになっているのかが定かでない点。
　以下、相違点及び作用効果について検討する。
＜相違点について＞
（１ａ）刊行物１記載の発明は、「アップスイッチとダウンスイッチとを操作して色温度の上昇または下降を選択するとアップダウンカウンタによって出力されるアドレスデータが増減し、このアドレスデータによってデータ記憶部７のアドレスを指定し」ているが、「アップスイッチとダウンスイッチ」及び「アップダウンカウンタ」という記載だけでは、１回の操作入力毎にアドレスが１段階毎順に昇降する型式のものか、操作入力を加えている間（例えば、押釦などのスイッチを押し続けている間）はアドレスが連続して順に昇降する型式のものか、いずれの型式の「アップスイッチとダウンスイッチ」及び「アップダウンカウンタ」であるのかは分からない。
（１ｂ）刊行物１記載の発明において、アップスイッチとダウンスイッチ（操作入力受付手段）で受け付ける操作入力とアドレスの移動回数との関係についてみると、上記のいずれの型式のものであっても、アップスイッチ又はダウンスイッチに操作入力を連続的に加え続ければ、アドレスも連続的に順に昇降するようになり、操作入力を連続的に加え続けることが操作入力の変化量に他ならないといえることから、操作入力の変化量は、昇降するアドレスの移動回数と対応することになり、刊行物１記載の発明は、本願発明の「決定手段は、操作入力受付手段で受け付ける操作入力の変化量と、当該操作入力の変化量に対応する照明光の逆数色温度の差分とが比例関係を持つように各光源の光量を決定する」という構成を備えているということもできる。（１ｃ）ところが、刊行物１記載の発明は、アップスイッチ又はダウンスイッチに操作入力が連続的に加え続けられているのか否かは分からない。
（１ｄ）上記の第３　２．（２ｂ）〜（２ｆ）の記載事項から、引用文献２には、「操作量（操作入力の変化量）と知覚とに着目して、操作感覚と明るさの知覚とをほぼ一致させるように、操作入力を連続的に加え続けることができる操作入力受付手段を採用し、操作入力を連続的に加え続けている間に連続して調光する」技術が記載されているものと認められる。
（１ｅ）知覚の対象としているものが明るさか色温度かの違いはあるものの、上記の第３　１．（１ａ）及び第３　２．（２ａ）の記載事項を参照すると、引用文献１記載の発明も刊行物２記載の技術も、いずれも照明装置の人による操作に対して知覚を違和感なく対応させるという限度で課題は同じであり、かつ、上記の第３　１．（１ｃ）及び第３　２．（２ｅ）の記載事項を参照すると、両者は、操作入力によりアドレスを指定してアドレスに格納された制御データを抽出することで調光するという機能の点でも共通するので、引用文献２記載の技術を刊行物１記載の発明に適用する充分な動機付けがあるといえるから、引用文献２記載の技術を刊行物１記載の発明に適用して、刊行物１記載の発明において、操作入力の変化量と知覚とに着目し、操作入力の変化量が得られるように、アップスイッチ又はダウンスイッチ（操作入力受付手段）に、操作入力を連続的に加え続けることができる構成を採用し、刊行物１記載の発明の「操作入力受付手段で受け付けるアドレス段の移動回数（変化量）」が、「操作入力受付手段で受け付ける操作入力の変化量」と一致するように構成することで、上記相違点の本願発明の構成に到ることは、格別に困難なことではない。
（１ｆ）なお、上記の第３　１．（１ａ）の「光色・・・をほぼ連続的に調節できるようにした可変色照明装置」という記載から、刊行物１記載の発明のアップスイッチとダウンスイッチの機能として、連続的に操作されるものが意図されていると仮定すると、上記（１ｂ）で述べたことが該当するといえるし、少なくとも当該記載を参酌すれば、アップスイッチとダウンスイッチとして連続的に操作されるスイッチを選定して、操作入力の変化量が得られるようにし、刊行物１記載の発明の「操作入力受付手段で受け付けるアドレスの移動回数（変化量）」が、「操作入力受付手段で受け付ける操作入力の変化量」と一致するように構成することは、当業者が適宜になし得たともいえるので、引用文献２記載の技術を適用するまでもなく、本願発明は、刊行物１記載の発明から、当業者が適宜になし得たものであるともいえる。
＜作用効果について＞
　本願発明の奏する効果は、刊行物１記載の発明及び刊行物２記載の技術から予測される範囲内のものにすぎず、格別に顕著な作用効果ということはできない。
第５　むすび
　この出願の請求項１に係る発明（本願発明）は、その出願前日本国内において頒布された刊行物１記載の発明及び刊行物２に記載された技術に基いて、その出願前にその発明の属する技術の分野における通常の知識を有する者が容易に発明をすることができたものであるから、特許法第２９条第２項の規定により特許を受けることができない。
　したがって、本願の他の請求項に係る発明について検討するまでもなく、本願は拒絶すべきものである。
　よって、結論のとおり審決する。